(57)【要約】【課題】外観を損なうことなく水を抜くことができる天井埋込型照明器具を提供する。【解決手段】灯具本体１の下端縁から延設された外鍔部１ｂとの間に透光板７の周部を保持する保持枠８を備える。保持枠８において取付ねじ１０が挿通されるねじ挿通孔８ａの内周面と取付ねじ１０の軸部１０ｂとの間に水抜用隙間１８が形成される。ねじ挿通孔８ａの下端開口は上下方向において取付ねじ１０の頭部１０ａの投影面内に収まるように開口寸法が設定される。取付ねじ１０の頭部１０ａと保持枠８の下面との間に隙間形成用部材１３が挟持される。隙間形成用部材１３は、円板状の薄板の外周縁の一部を開放する切欠部が形成されており、取付ねじ１０の軸部１０ｂが挿通され取付ねじ１０の頭部１０ａと保持枠８の下面との間に挟持された状態で切欠部が水抜用隙間１８に連通する。【選択図】　　　図１
2004055170.tif 000002
【特許請求の範囲】
【請求項１】
下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、取付ねじの頭部と保持枠の下面との間に隙間形成用部材が挟持され、隙間形成用部材は、取付ねじの軸部が挿通され取付ねじの頭部と保持枠の下面との間に挟持された状態で水抜用隙間に連通する切欠部が形成されてなることを特徴とする天井埋込型照明器具。
【請求項２】
下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、取付ねじの頭部における保持枠の下面との対向面に保持枠の下面との間に水抜用隙間に連通する空所が形成されるように保持枠の下面に当接する小突起が突設されてなることを特徴とする天井埋込型照明器具。
【請求項３】
下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、保持枠には、取付ねじの頭部との間に水抜用隙間に連通する空所が形成されるようにねじ挿通孔の周部から下方へ隙間形成用突起が突設されてなることを特徴とする天井埋込型照明器具。
【請求項４】
下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、保持枠には、ねじ挿通孔の周縁から下方に向かって突出し下端が取付ねじの頭部と当接する筒部が延設され、筒部には筒部の内外を連通する水抜部が形成されてなることを特徴とする天井埋込型照明器具。
【請求項５】
下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、取付ねじは、軸部において軸方向に沿って形成された縦溝と、頭部における保持枠の下面との対向面に形成され一端側が縦溝に連続し他端側が開放された横溝とからなる水抜溝を有することを特徴とする天井埋込型照明器具。
【請求項６】
前記保持枠の上面には、当該上面側に侵入した水を前記ねじ挿通孔へ誘導する誘導溝が周方向に沿って形成されてなることを特徴とする請求項１ないし請求項５のいずれかに記載の天井埋込型照明器具。
【発明の詳細な説明】
【０００１】
【発明の属する技術分野】
本発明は、天井埋込型照明器具に関するものである。
【０００２】
【従来の技術】
従来から、天井埋込型照明器具として、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備えた防湿型・防雨型のものが知られている。
【０００３】
この種の天井埋込型照明器具は、保持枠に取付ねじを挿通するねじ挿通孔が形成されるとともに、灯具本体に取付ねじを受けるねじ固定部が一体に設けられており、保持枠の外周縁から全周にわたって天井材の下面側に突出しねじ固定部を囲む周壁が延設されている。なお、保持枠は、周壁およびねじ挿通孔よりも内側の部位において上方に突出する防水壁が突設されている。
【０００４】
【発明が解決しようとする課題】
ところで、上記従来構成の天井埋込型照明器具では、保持枠の上面側において周壁と防水壁とで囲まれた部位上に水が溜まってしまい、ランプの交換時に取付ねじや保持枠を外す際などに、保持枠の上面側に溜まっていた水が作業者にかかってしまうことがあった。
【０００５】
そこで、保持枠に、保持枠の上面側に溜まった水を抜くための水抜孔を貫設することが考えられるが、保持枠の下方から水抜孔が直接見えるので、外観が損なわれてしまう。
【０００６】
また、特開平９−１６１５２８号公報には、壁面埋込型照明器具において保持枠の後面側に配設されるパッキンに水抜き部を設けることで外観を損なうことなく水を抜くことができる照明器具が提案されているが、このような構造は天井埋込型照明器具では採用できない。
【０００７】
本発明は上記事由に鑑みて為されたものであり、その目的は、外観を損なうことなく保持枠の上面側に溜まった水を抜くことができる天井埋込型照明器具を提供することにある。
【０００８】
【課題を解決するための手段】
請求項１の発明は、上記目的を達成するために、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、取付ねじの頭部と保持枠の下面との間に隙間形成用部材が挟持され、隙間形成用部材は、取付ねじの軸部が挿通され取付ねじの頭部と保持枠の下面との間に挟持された状態で水抜用隙間に連通する切欠部が形成されてなることを特徴とするものであり、ねじ挿通孔の内周面と取付ねじの軸部との間に形成された水抜用隙間と、取付ねじの頭部と保持枠の下面との間に挟持された隙間形成用部材の切欠部とが連通するので、保持枠に専用の水抜孔を設けることなく、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができる。
【０００９】
請求項２の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、取付ねじの頭部における保持枠の下面との対向面に保持枠の下面との間に水抜用隙間に連通する空所が形成されるように保持枠の下面に当接する小突起が突設されてなることを特徴とするものであり、ねじ挿通孔の内周面と取付ねじの軸部との間に形成された水抜用隙間と、取付ねじの頭部と保持枠の下面との間に形成された空所とが連通するので、保持枠に専用の水抜孔を設けることなく、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができる。
【００１０】
請求項３の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、保持枠には、取付ねじの頭部との間に水抜用隙間に連通する空所が形成されるようにねじ挿通孔の周部から下方へ隙間形成用突起が突設されてなることを特徴とするものであり、ねじ挿通孔の内周面と取付ねじの軸部との間に形成された水抜用隙間と、取付ねじの頭部と保持枠の下面との間に形成された空所とが連通するので、保持枠に専用の水抜孔を設けることなく、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができる。
【００１１】
請求項４の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、保持枠には、ねじ挿通孔の周縁から下方に向かって突出し下端が取付ねじの頭部と当接する筒部が延設され、筒部には筒部の内外を連通する水抜部が形成されてなることを特徴とするものであり、ねじ挿通孔の内周面と取付ねじの軸部との間に形成された水抜用隙間と、保持枠においてねじ挿通孔の周縁から下方に向かって突出し下端が取付ねじの頭部と当接する筒部に形成された水抜部とが連通するので、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができる。
【００１２】
請求項５の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、取付ねじは、軸部において軸方向に沿って形成された縦溝と、頭部における保持枠の下面との対向面に形成され一端側が縦溝に連続し他端側が開放された横溝とからなる水抜溝を有することを特徴とするものであり、保持枠の上面側に侵入した水を取付ねじの水抜溝を通して抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができる。
【００１３】
請求項６の発明は、請求項１ないし請求項５の発明において、前記保持枠の上面には、当該上面側に侵入した水を前記ねじ挿通孔へ誘導する誘導溝が周方向に沿って形成されているので、前記保持枠の上面側に侵入した水が前記保持枠の周方向において前記ねじ挿通孔へ向かって流れやすくなり、排水性能が向上する。
【００１４】
【発明の実施の形態】
（実施形態１）
本実施形態の天井埋込型照明器具は、防湿型・防雨型の照明器具として用いることができるものであって、図１ないし図３に示すように、天井材１００に貫設した貫通孔１０１を通して天井の内部空間に挿入される灯具本体１を備えている。ここにおいて、灯具本体１は、下面に円形状の開口窓１ａを有した有底円筒状に形成されている。灯具本体１内には、ランプＬａ、ランプＬａを着脱自在に保持するランプソケット２、ランプＬａを点灯させる安定器（点灯装置）３、商用電源から電源線を介して給電される安定器３、安定器３を固定する固定具５、下面が開口した椀状の反射板６などが収納されている。なお、反射板６は、下端縁から外方へ外鍔部６ｂが延設されている。
【００１５】
灯具本体１は、天井に吊下げられた吊りボルト２０に結合された取付枠３０に取り付けられている。取付枠３０は、灯具本体１の上方に位置する外形が円形状の天板３１と、天井材１００の下面１００ａ側に位置し灯具本体１が挿通されるとともに貫通孔１０１の周部に上面が当接する円環状の下枠３２と、下枠３２の内周縁から全周にわたって上方へ延設された筒状枠３２ａと天板３１とを連結する短冊状の複数の連結板３３とを備えており、天板３１に形成されたボルト挿通孔（図示せず）に吊りボルト２０を挿通して天板３１の上下に配置されるナット２１，２１を締め付けることにより天板３１が吊りボルト２０に結合されている。なお、天板３１の外径は天井材１００の貫通孔１０１の内径よりも小さく設定されている。また、下枠３２の内径は貫通孔１０１の内径よりも小さく且つ灯具本体１の外径よりもやや大きな寸法に設定されている。
【００１６】
上述の下枠３２は、内周縁から全周にわたって上方へ突出する立壁３２ａが延設されている。また、下枠３２は、外周縁から段差部３２ｂを介して固定片３２ｃが延設され、固定片３２ｃの外周縁から上方へ突出する立壁３２ｄが延設されており、立壁３２ｄの先端縁が天井材１００の下面１００ａと当接している。ここに、固定片３２ｃは、灯具本体１を取付枠３０に取り付けるための固定ねじ１２が挿通される挿通孔（図示せず）および後述の取付ねじ１０の軸部１０ｂが挿通される挿通孔３２ｅが形成されており、固定片３２ｃの上面には固定ねじ１２の軸部が螺合するナット１４および取付ねじ１０の軸部１０ｂの螺合するナット１１が配置されている。なお、各ナット１１，１４は、３つずつ設けられ、固定片３２ｃに保持されている。また、灯具本体１の外鍔部１ｂの外周縁からは段差部１ｄを介して取付片１ｃが延設されており、取付片１ｃが固定片３２ｃの下面に重ねた形で配置されるようになっている。また、取付片１ｃには取付ねじ１０の軸部１０ｂが挿通される挿通孔１ｅが形成されている。
【００１７】
また、本実施形態の天井埋込型照明器具は、灯具本体１の開口窓１ａを覆う円板状のガラス板のような透光板７と、灯具本体１の下端縁から外方へ延設された外鍔部１ｂとの間に透光板７の周部を保持し天井材１００の下面１００ａ側で貫通孔１０１の周部に重なるように配設される円環状の保持枠８とを備えている。ここにおいて、保持枠８と灯具本体１の外鍔部１ｂとの間には防水パッキン９が挟装されている。防水パッキン９の形状は円環状であって、内周面の全周にわたって透光板７を保持する保持溝９ａが形成されている。さらに、防水パッキン９は、保持溝９ａの開口面の上部から内方に向かって内鍔部９ｂが延設されており、内鍔部９ｂの下面と透光板７の上面との間に反射板６の外鍔部６ｂが挟持されている。
【００１８】
保持枠８は、所謂つまみねじからなる取付ねじ１０を挿通する円形状の３つのねじ挿通孔８ａが貫設されている。ここに、各ねじ挿通孔８ａは保持枠８の周方向に離間して形成されている。また、保持枠８は、外周縁から全周にわたって天井材１００の下面１００ａ側に突出し立壁３２ｄを囲む周壁８ｂが全周にわたって延設されている。なお、本実施形態では、固定片３２ｃとナット１１とで取付ねじを受けるねじ固定部を構成しており、ねじ固定部が灯具本体１に一体に設けられていることになる。したがって、取付ねじ１０の軸部１０ｂをナット１１に螺合させることによって、保持枠８が灯具本体１に取り付けられることになる。
【００１９】
ところで、本実施形態では、保持枠８において取付ねじ１０が挿通されるねじ挿通孔８ａの内径を取付ねじ１０の軸部１０ｂが遊挿されるように軸部１０ｂの外径よりも大きく設定してある。したがって、本実施形態では、ねじ挿通孔８ａの内周面と取付ねじ１０の軸部１０ｂとの間に水抜用隙間１８が形成されることになる。ただし、ねじ挿通孔８ａの下端開口は上下方向において取付ねじ１０の頭部１０ａの投影面内に収まるように開口寸法が設定されている。また、保持枠８は、防水パッキン９を受ける凹部８ｃの周縁から全周にわたって上方に突出する円環状の防水壁８ｄが突設されており、上述のねじ挿通孔８ａは防水壁８ｄが突設された部位と周壁８ｂが突設された部位との間の部位に形成されている。
【００２０】
また、本実施形態では、取付ねじ１０の頭部１０ａと保持枠８の下面との間に隙間形成用部材１３（図４および図５参照）が挟持されている。ここに、隙間形成用部材１３は、図５に示すように、円板状の薄板の外周縁の一部を開放する切欠部１３ａが形成されており、取付ねじ１０の軸部１０ｂが挿通され取付ねじ１０の頭部１０ａと保持枠８の下面との間に挟持された状態で切欠部１３ａが水抜用隙間１８に連通するようになっている。なお、隙間形成用部材１３としては所謂Ｅリングや所謂Ｃリングを用いてもよい。ただし、隙間形成用部材１３としては、外径が取付ねじ１０の頭部１０ａの外径以下のものを用いる。
【００２１】
しかして、本実施形態の天井埋込型照明器具では、保持枠８に設けたねじ挿通孔８ａの内周面と取付ねじ１０の軸部１０ｂとの間に形成された水抜用隙間１８と、取付ねじ１０の頭部１０ａと保持枠８の下面との間に挟持された隙間形成用部材１３の切欠部１３ａとが連通しているので、天井材１００の下面１００ａと保持枠８の周壁８ｂの上端との間に形成された隙間を通して周壁８ｂの外側から図６中の矢印Ｂ１の経路で保持枠８の上面側に水が侵入したとしても、保持枠８に専用の水抜孔を設けることなく、水抜用隙間１８および切欠部１３ａを通して図６中の矢印Ｂ２の経路で水を抜くことができる。その結果、ランプＬａの交換時に取付ねじ１０や保持枠８を外した際に作業者へ水がかかるのを防止することができる。しかも、ねじ挿通孔８ａの下端開口が上下方向において取付ねじ１０の頭部１０ａの投影面内に収まるので、保持枠８の下方から水抜用隙間１８が見えることもなく、外観を損なうことなく保持枠８の上面側の水を抜くことができる。
【００２２】
（実施形態２）
本実施形態の天井埋込型照明器具の基本構成は実施形態１と略同じであって、図７および図８に示すように、取付ねじ１０の頭部１０ａにおける保持枠８の下面との対向面に保持枠８の下面との間に上記水抜用隙間１８に連通する空所１９が形成されるように保持枠８の下面に当接する３つの小突起１０ｃが連続一体に突設されている点が相違する。ここに、３つの小突起１０ｃは頭部１０ａの周方向に離間して設けられている。なお、実施形態１と同様の構成要素には同一の符号を付して説明を省略する。
【００２３】
しかして、本実施形態の天井埋込型照明器具では、保持枠８に設けたねじ挿通孔８ａの内周面と取付ねじ１０の軸部１０ｂとの間に形成された水抜用隙間１８と、取付ねじ１０の頭部１０ａと保持枠８の下面との間に形成された空所１９とが連通しているので、天井材１００の下面１００ａと保持枠８の周壁８ｂの上端との間に形成された隙間を通して周壁８ｂの外側から図８中の矢印Ｂ１の経路で保持枠８の上面側に水が侵入したとしても、保持枠８に専用の水抜孔を設けることなく、水抜用隙間１８および空所１９を通して図８中の矢印Ｂ２の経路で水を抜くことができる。その結果、ランプＬａの交換時に取付ねじ１０や保持枠８を外した際に作業者へ水がかかるのを防止することができる。しかも、ねじ挿通孔８ａの下端開口が上下方向において取付ねじ１０の頭部１０ａの投影面内に収まるので、保持枠８の下方から水抜用隙間１８が見えることもなく、外観を損なうことなく水を抜くことができる。また、本実施形態では、実施形態１で説明した隙間形成用部材１３を用いることなく保持枠８の下面と取付ねじ１０の頭部１０ａとの間に空所１９を形成して保持枠８の上面側の水を排水することができるので、実施形態１に比べて部品点数を削減することができるとともに、組立作業が容易になる。
【００２４】
（実施形態３）
本実施形態の天井埋込型照明器具の基本構成は実施形態１と略同じであって、図９ないし図１１に示すように、保持枠８の下面と取付ねじ１０の頭部１０ａとの間に水抜用隙間１８に連通する空所１９’が形成されるように、保持枠８におけるねじ挿通孔８ａの周部から下方へ隙間形成用突起８ｅが連続一体に突設されている点が相違する。ここに、隙間形成用突起８ｅの平面形状は図９に示すように半円状に形成されている。なお、実施形態１と同様の構成要素には同一の符号を付して説明を省略する。
【００２５】
しかして、本実施形態の天井埋込型照明器具では、保持枠８に設けたねじ挿通孔８ａの内周面と取付ねじ１０の軸部１０ｂとの間に形成された水抜用隙間１８と、取付ねじ１０の頭部１０ａと保持枠８の下面との間に形成された空所１９’とが連通しているので、天井材１００の下面１００ａと保持枠８の周壁８ｂの上端との間に形成された隙間を通して周壁８ｂの外側から図１１中の矢印Ｂ１の経路で保持枠８の上面側に水が侵入したとしても、保持枠８に専用の水抜孔を設けることなく、水抜用隙間１８および空所１９’を通して図１１中の矢印Ｂ２の経路で水を抜くことができる。その結果、ランプＬａの交換時に取付ねじ１０や保持枠８を外した際に作業者へ水がかかるのを防止することができる。しかも、ねじ挿通孔８ａの下端開口が上下方向において取付ねじ１０の頭部１０ａの投影面内に収まるので、保持枠８の下方から水抜用隙間１８が見えることもなく、外観を損なうことなく水を抜くことができる。また、本実施形態では、実施形態１で説明した隙間形成用部材１３を用いることなく保持枠８の下面と取付ねじ１０の頭部１０ａとの間に空所１９’　を形成して保持枠８の上面側の水を排水することができるので、実施形態１に比べて部品点数を削減することができるとともに、組立作業が容易になる。
【００２６】
なお、本実施形態では、平面形状が半円状の隙間形成用突起８ｅを１つだけ保持枠８から連続一体に突設してあるが、隙間形成用突起８ａが取付ねじ１０の頭部１０ａの投影面内に収まり且つ保持枠８の下面と取付ねじ１０の頭部１０ａとの間に上記水抜用隙間１８に連通する空所１９’が形成されれば、隙間形成用突起８ｅの平面形状や数は特に限定するものではなく、例えば、図１２に示すように、平面形状が扇状の隙間形成用突起８ａを２つ突設するようにしてもよい。
【００２７】
（実施形態４）
本実施形態の天井埋込型照明器具の基本構成は実施形態１と略同じであって、図１３および図１４に示すように、保持枠８を金属板により形成し、保持枠８におけるねじ挿通孔８ａの周縁から下方に向かって突出し下端が取付ねじ１０の頭部１０ａと当接する筒部８ｆが連続一体に延設され、筒部８ｆには筒部８ｆの内外を連通する水抜部８ｇが形成されてなる点が相違する。ここにおいて、筒部８ｆは上記金属板にバーリング加工を施すことにより形成されている。また、水抜部８ｇは筒部８ｆの下端縁の一部が開放された切欠部により構成されている。なお、実施形態１と同様の構成要素には同一の符号を付して説明を省略する。
【００２８】
しかして、本実施形態の天井埋込型照明器具では、保持枠８に設けたねじ挿通孔８ａの内周面と取付ねじ１０の軸部１０ｂとの間に形成された水抜用隙間１８と、保持枠８においてねじ挿通孔８ａの周縁から下方に向かって突出し下端が取付ねじ１０の頭部１０ａと当接する筒部８ｆに形成された水抜部８ｇとが連通しているので、天井材１００の下面１００ａと保持枠８の周壁８ｂの上端との間に形成された隙間を通して周壁８ｂの外側から図１３中の矢印Ｂ１の経路で保持枠８の上面側に水が侵入したとしても、水抜用隙間１８および水抜部８ｇを通して図１３中の矢印Ｂ２の経路で水を抜くことができる。その結果、ランプＬａの交換時に取付ねじ１０や保持枠８を外した際に作業者へ水がかかるのを防止することができる。しかも、ねじ挿通孔８ａの下端開口が上下方向において取付ねじ１０の頭部１０ａの投影面内に収まるので、保持枠８の下方から水抜用隙間１８が見えることもなく、外観を損なうことなく水を抜くことができる。また、本実施形態では、実施形態１で説明した隙間形成用部材１３を用いることなく水を抜くことができるので、実施形態１に比べて部品点数を削減することができるとともに、組立作業が容易になる。
【００２９】
なお、本実施形態では、筒部８ｆに１つの水抜部８ｇを形成してあるが、水抜部８ｇの数は複数であってもよい。
【００３０】
（実施形態５）
本実施形態の天井埋込型照明器具の基本構成は実施形態１と略同じであって、図１５および図１６に示すように、取付ねじ１０の形状が相違する。すなわち、本実施形態における取付ねじ１０は、軸部１０ｂにおいて軸方向に沿って形成された縦溝１０ｅと、頭部１０ａにおける保持枠８の下面との対向面に形成され一端側が縦溝１０ｅに連続し他端側が開放された横溝１０ｆとからなる水抜溝１０ｇを２つ有している点が相違する。したがって、本実施形態では、保持枠８におけるねじ挿通孔８ａの内周面と取付ねじ１０の軸部１０ｂに形成された縦溝１０ｅの内周面との間に水抜用隙間１８が形成されることになる。なお、実施形態１と同様の構成要素には同一の符号を付して説明を省略する。
【００３１】
しかして、本実施形態の天井埋込型照明器具では、天井材１００の下面１００ａと保持枠８の周壁８ｂの上端との間に形成された隙間を通して周壁８ｂの外側から図１６中の矢印Ｂ１の経路で保持枠８の上面側に水が侵入したとしても、水抜溝１０を通して図１６中の矢印Ｂ２の経路で水を抜くことができる。その結果、ランプＬａの交換時に取付ねじ１０や保持枠８を外した際に作業者へ水がかかるのを防止することができる。しかも、ねじ挿通孔８ａの下端開口が上下方向において取付ねじ１０の頭部１０ａの投影面内に収まるので、保持枠８の下方から水抜用隙間１８が見えることもなく、外観を損なうことなく水を抜くことができる。また、本実施形態では、実施形態１で説明した隙間形成用部材１３を用いることなく水を抜くことができるので、実施形態１に比べて部品点数を削減することができるとともに、組立作業が容易になる。
【００３２】
（実施形態６）
本実施形態の天井埋込型照明器具の基本構成は実施形態１と略同じであって、図１７に示すように、保持枠８の上面に、当該上面側に侵入した水をねじ挿通孔８ａへ誘導する誘導溝８ｈが周方向に沿って形成されている点が相違する。ここに、誘導溝８ｈは、保持枠８において実施形態１にて説明した周壁８ｂと防水壁８ｄとの間の部位に形成されている。誘導溝８ｈは、断面Ｖ字状に形成されており、保持枠８において誘導溝８ｈが形成された部位ではねじ挿通孔８ａに近づくにつれて保持枠８の厚さが薄くなっている。すなわち、図１７（ａ）のＡ−Ａ断面図である図１７（ｃ）において誘導溝８ｈの中心線Ｍ上における保持枠８の厚さをＨ１、図１７（ａ）のＢ−Ｂ断面図である図１７（ｄ）において誘導溝８ｈの中心線Ｍ上における保持枠８の厚さをＨ２、図１７（ａ）のＣ−Ｃ断面図である図１７（ｅ）において誘導溝８ｈの中心線Ｍ上における保持枠８の厚さをＨ３とすれば、Ｈ１＜Ｈ２＜Ｈ３となっている。すなわち、ねじ挿通孔８ａに近づくにつれて、誘導溝８ｈの底の位置が上下方向において低い位置となっている（天井材１００の下面１００ａから遠くなっている）。なお、実施形態１と同様の構成要素には同一の符号を付して説明を省略する。
【００３３】
しかして、本実施形態の天井埋込型照明器具では、保持枠８の上面に、当該上面側に侵入した水をねじ挿通孔８ａへ誘導する誘導溝８ｈが周方向に沿って形成されているので、保持枠８の上面側に侵入した水が保持枠８の周方向においてねじ挿通孔８ａへ向かって流れやすくなり、排水性能が向上する。なお、本実施形態における誘導溝８ｈを他の実施形態における保持枠８に形成しても同様の効果が得られる。
【００３４】
【発明の効果】
請求項１の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、取付ねじの頭部と保持枠の下面との間に隙間形成用部材が挟持され、隙間形成用部材は、取付ねじの軸部が挿通され取付ねじの頭部と保持枠の下面との間に挟持された状態で水抜用隙間に連通する切欠部が形成されてなるものであり、ねじ挿通孔の内周面と取付ねじの軸部との間に形成された水抜用隙間と、取付ねじの頭部と保持枠の下面との間に挟持された隙間形成用部材の切欠部とが連通するので、保持枠に専用の水抜孔を設けることなく、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができるという効果がある。
【００３５】
請求項２の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、取付ねじの頭部における保持枠の下面との対向面に保持枠の下面との間に水抜用隙間に連通する空所が形成されるように保持枠の下面に当接する小突起が突設されてなるものであり、ねじ挿通孔の内周面と取付ねじの軸部との間に形成された水抜用隙間と、取付ねじの頭部と保持枠の下面との間に形成された空所とが連通するので、保持枠に専用の水抜孔を設けることなく、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができるという効果がある。
【００３６】
請求項３の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、保持枠には、取付ねじの頭部との間に水抜用隙間に連通する空所が形成されるようにねじ挿通孔の周部から下方へ隙間形成用突起が突設されてなるものであり、ねじ挿通孔の内周面と取付ねじの軸部との間に形成された水抜用隙間と、取付ねじの頭部と保持枠の下面との間に形成された空所とが連通するので、保持枠に専用の水抜孔を設けることなく、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができるという効果がある。
【００３７】
請求項４の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、ねじ挿通孔の内周面と取付ねじの軸部との間に水抜用隙間が形成されるとともに、ねじ挿通孔の下端開口が上下方向において取付ねじの頭部の投影面内に収まり、保持枠には、ねじ挿通孔の周縁から下方に向かって突出し下端が取付ねじの頭部と当接する筒部が延設され、筒部には筒部の内外を連通する水抜部が形成されてなるものであり、ねじ挿通孔の内周面と取付ねじの軸部との間に形成された水抜用隙間と、保持枠においてねじ挿通孔の周縁から下方に向かって突出し下端が取付ねじの頭部と当接する筒部に形成された水抜部とが連通するので、保持枠の上面側に侵入した水を抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができるという効果がある。
【００３８】
請求項５の発明は、下面に開口窓を有し天井材に貫設した貫通孔を通して天井の内部空間に挿入される灯具本体と、灯具本体内に収納されたランプと、灯具本体の開口窓を覆う透光板と、灯具本体の下端縁から外方へ延設された外鍔部との間に透光板の周部を保持し天井材の下面側で貫通孔の周部に重なるように配設される保持枠とを備え、保持枠に取付ねじを挿通するねじ挿通孔が形成されるとともに、灯具本体に取付ねじを受けるねじ固定部が一体に設けられた天井埋込型照明器具であって、保持枠の外周縁から全周にわたって天井材の下面側に突出しねじ固定部を囲む周壁が延設され、取付ねじは、軸部において軸方向に沿って形成された縦溝と、頭部における保持枠の下面との対向面に形成され一端側が縦溝に連続し他端側が開放された横溝とからなる水抜溝を有するものであり、保持枠の上面側に侵入した水を取付ねじの水抜溝を通して抜くことができ、しかも、ねじ挿通孔の下端開口が上下方向において取付ねじの頭部の投影面内に収まるので、保持枠の下方から水抜用隙間が見えることもなく、外観を損なうことなく水を抜くことができるという効果がある。
【００３９】
請求項６の発明は、請求項１ないし請求項５の発明において、前記保持枠の上面には、当該上面側に侵入した水を前記ねじ挿通孔へ誘導する誘導溝が周方向に沿って形成されているので、前記保持枠の上面側に侵入した水が前記保持枠の周方向において前記ねじ挿通孔へ向かって流れやすくなり、排水性能が向上するという効果がある。
【図面の簡単な説明】
【図１】実施形態１を示す要部断面図である。
【図２】同上の一部破断した正面図である。
【図３】同上の概略斜視図である。
【図４】同上に用いる部品の説明図である。
【図５】同上に用いる隙間形成用部材の平面図である。
【図６】同上の要部説明図である。
【図７】実施形態２における取付ねじを示し、（ａ）は斜視図、（ｂ）は（ａ）の要部Ｄの拡大図である。
【図８】同上の要部説明図である。
【図９】実施形態３における保持枠の一部破断した下面図である。
【図１０】同上における保持枠の一部破断した断面図である。
【図１１】同上の要部説明図である。
【図１２】同上における保持枠の他の構成例の一部破断した下面図である。
【図１３】実施形態４における要部説明図である。
【図１４】同上における一部破断した要部側面図である。
【図１５】実施形態５における取付ねじの斜視図である。
【図１６】同上の要部説明図である。
【図１７】実施形態６における保持枠を示し、（ａ）は平面図、（ｂ）は断面図、（ｃ）は（ａ）のＡ−Ａ断面図、（ｄ）は（ａ）のＢ−Ｂ断面図、（ｅ）は（ａ）のＣ−Ｃ断面図である。
【符号の説明】
１　灯具本体
１ａ　開口窓
１ｂ　外鍔部
１ｃ　取付片
２　ランプソケット
３　安定器
４　電源線
５　固定具
６　反射板
７　透光板
８　保持枠
８ａ　ねじ挿通孔
９　防水パッキン
１０　取付ねじ
１０ａ　頭部
１０ｂ　軸部
１０ｃ　小突起
１０ｅ　縦溝
１０ｆ　横溝
１０ｇ　水抜溝
１１　ナット
１２　固定ねじ
１３　隙間形成用部材
１４　ナット
１８　水抜用隙間
１９　空所
１９’　空所
３０　取付枠
３１　天板
３２　下枠
３２ａ　筒状枠
３２ｂ　段差部
３２ｃ　固定片
３２ｄ　立壁
３３　連結板
１００　天井材
１００ａ　下面
１０１　貫通孔
Ｌａ　ランプ
【図１】
2004055170.tif 000003
【図２】
2004055170.tif 000004
【図３】
2004055170.tif 000005
【図４】
2004055170.tif 000006
【図５】
2004055170.tif 000007
【図６】
2004055170.tif 000008
【図７】
2004055170.tif 000009
【図８】
2004055170.tif 000010
【図９】
2004055170.tif 000011
【図１０】
2004055170.tif 000012
【図１１】
2004055170.tif 000013
【図１２】
2004055170.tif 000014
【図１３】
2004055170.tif 000015
【図１４】
2004055170.tif 000016
【図１５】
2004055170.tif 000017
【図１６】
2004055170.tif 000018
【図１７】
2004055170.tif 000019